(57)【特許請求の範囲】
【請求項１】
発泡樹脂材で形成された設備配管のほぼ半分の外周部の配管用孔を覆うことができる一方の目地詰型枠本体、この一方の目地詰型枠本体と一体形成された内側部分より下方へ突出し、下端部に嵌合部が形成された一方の取付け片とからなる一方の目地詰型枠と、この一方の目地詰型枠で覆われていない設備配管の外周部の配管用孔を覆うことができる発泡樹脂材で形成された他方の目地詰型枠本体、この他方の目地詰型枠本体と一体形成された内側部位より下方へ突出し、下端部に嵌合部が形成された他方の取付け片とからなる他方の目地詰型枠と、この他方の目地詰型枠の他方の取付け片の嵌合部と着脱可能に下部の嵌合部が嵌合する小径の設備配管に用いる場合の隙間を覆う他方のスペーサーと、前記一方の目地詰型枠の一方の取付け片の嵌合部と着脱可能に下部の嵌合部が嵌合する小径の設備配管に用いる場合の隙間を覆う一方のスペーサーと、前記一方の目地詰型枠と前記他方の目地詰型枠および前記一方のスペーサーと他方のスペーサーを用いた状態で設備配管の外周部の配管用孔を覆った状態で、該設備配管に前記他方の取付け片と一方の取付け片部位で固定する接着テープあるいはベルトを用いた締付け固定具等の固定具とからなることを特徴とする設備配管用目地詰型枠。
【請求項２】
発泡樹脂材で形成された設備配管のほぼ半分の外周部の配管用孔を覆うことができる一方の目地詰型枠本体、この一方の目地詰型枠本体と一体形成された内側部分より下方へ突出する一方の取付け片とからなる一方の目地詰型枠と、この一方の目地詰型枠で覆われていない設備配管の外周部の配管用孔を覆うことができる発泡樹脂材で形成された他方の目地詰型枠本体、この他方の目地詰型枠本体と一体形成された内側部位より下方へ突出する他方の取付け片とからなる他方の目地詰型枠と、この他方の目地詰型枠と前記一方の目地詰型枠との当接部位に形成された上下方向に着脱可能な係合凹部と係合突片とからなることを特徴とする設備配管用目地詰型枠。
【請求項３】
一方の目地詰型枠および他方の目地詰型枠はおから、もみ殻、おがくず等の焼却処分をしても有害物質が発生しない材質を用いて成型したものであることを特徴とする請求項１または２いずれか記載の設備配管用目地詰型枠。
【発明の詳細な説明】
【０００１】
【発明の属する技術分野】
本発明はビル等の建物に形成した配管孔に設備配管を貫通させた後、該設備配管と配管孔との間の隙間にコンクリート、モルタルや耐火充填材を充填して覆う場合に使用される設備配管用目地詰型枠に関する。
【０００２】
【従来の技術】
従来、この種の設備配管用目地詰型枠は一端部に配管孔と設備配管との隙間を覆うことができるフランジ部が形成された筒部材を２分割し、この２分割された筒部材の分割部分を当接できるように形成された取付け板を締付けて固定するボルト、ナットとで構成されている。
【０００３】
【発明が解決しようとする課題】
従来の設備配管用目地詰型枠は設備配管の寸法誤差によって取付け板間にスペーサーを介装したり、取付け部位の設備配管の外周部にスペーサーを介装しなければフランジ部間に隙間が生じたり、設備配管に取付けることができない等の欠点があった。
【０００４】
本発明は以上のような従来の欠点に鑑み、設備配管に寸法誤差があっても、設備配管と配管孔との隙間を覆うことができるように確実に設備配管に取付けることができる、安価で設置作業が容易で、使い捨て状態で使用することができる設備配管用目地詰型枠を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は発泡樹脂材で形成された設備配管のほぼ半分の外周部の配管用孔を覆うことができる一方の目地詰型枠本体、この一方の目地詰型枠本体と一体形成された内側部分より下方へ突出する一方の取付け片とからなる一方の目地詰型枠と、この一方の目地詰型枠で覆われていない設備配管の外周部の配管用孔を覆うことができる発泡樹脂材で形成された他方の目地詰型枠本体、この他方の目地詰型枠本体と一体形成された内側部位より下方へ突出する他方の取付け片とからなる他方の目地詰型枠と、この他方の目地詰型枠と前記一方の目地詰型枠とで設備配管の外周部の配管用孔を覆った状態で該設備配管に前記他方の取付け片と一方の取付け片部位で固定する接着テープあるいはベルトを用いた締付け固定具等の固定具とで設備配管用目地詰型枠を構成している。
【０００７】
【発明の実施の形態】
以下、図面に示す実施の形態により、本発明を詳細に説明する。
【０００８】
図１ないし図７に示す本発明の第１の実施の形態において、１は発泡樹脂材で形成された一方の目地詰型枠で、この一方の目地詰型枠１は設備配管２のほぼ半分の外周部の配管孔３を覆うことができる一方の目地詰型枠本体４と、この一方の目地詰型枠本体４と一体形成された内側部分より下方へ半円弧状に突出する一方の取付け片５と、この一方の取付け片５の両端部に形成された係合凹部６ａが形成された係合片６と係合突片７ａが形成された係合部７とで構成されている。
【０００９】
８は発泡樹脂材で形成された他方の目地詰型枠で、この他方の目地詰型枠８は前記一方の目地詰型枠１で覆われていない設備配管２の外周部の配管孔３を覆うことができる他方の目地詰型枠本体９と、この他方の目地詰型枠本体９と一体形成された内側部分より下方へ半円弧状に突出する他方の取付け片１０と、この他方の取付け片１０の両端部に形成された前記一方の目地詰型枠１の係合凹部６ａが形成された係合片６と係合突片７ａが形成された係合部７とに係合させることができる係合突片７ａが形成された係合部７と係合凹部６ａが形成された係合片６とで構成されている。
【００１０】
１１は前記一方の目地詰型枠１と前記他方の目地詰型枠８とで設備配管２の外周部の配管孔３を覆った状態で、該設備配管２に前記一方の取付け片５と他方の取付け片１０部位で固定する固定具で、この固定具１１は本発明の実施の形態では、図６に示すようにラチェット歯１２が形成されたベルト１３と、このベルト１３の後端部に一体形成された該ベルト１３の先端部を貫通させることができる枠体１４と、この枠体１４内を通過するベルト１３のラチェット歯１２と噛み合い、締付けが緩むのを阻止する、弾性を有する係止片１５とからなる締付け固定具が使用されている。
【００１１】
上記構成の設備配管用目地詰型枠１６は、配管孔３に設備配管２を貫通させた後、一方の目地詰型枠１と他方の目地詰型枠８内に設備配管２が位置するように係合突片７ａが形成された係合部７、７と係合凹部６ａが形成された係合片６、６とを係合させた後、配管孔３の下部を一方の目地詰型枠本体４と他方の目地詰型枠本体９とで覆うように位置させる。
しかる後、一方の取付け片５と他方の取付け片１０の外周部に固定具１１を位置させ、締付けることにより設備配管２に一方の目地詰型枠１と他方の目地詰型枠８とを固定することができる。
【００１２】
この状態で、配管孔３内にコンクリート、モルタルや耐火充填材等を充填して配管孔３と設備配管２との間の隙間を塞いだ後、固定具１１を切断することにより容易に一方の目地詰型枠１と他方の目地詰型枠８とを除去することができる。
【００１３】
【発明の異なる実施の形態】
次に、図８ないし図２８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図８ないし図１０に示す本発明の第２の実施の形態において、前記本発明の第１の実施の形態と主に異なる点は、一方の目地詰型枠本体４の両端部に突出片１７と支持凹部１８とを形成した一方の目地詰型枠１Ａと、他方の目地詰型枠本体９の両端部に前記一方の目地詰型枠１Ａの突出片１７と支持凹部１８と重なり合う支持凹部１８と突出片１７とを形成した他方の目地詰型枠８Ａを用いた点で、このように形成された一方の目地詰型枠１Ａと他方の目地詰型枠８Ａとを用いて構成した設備配管用目地詰型枠１６Ａにしても、前記本発明の第１の実施の形態と同様な作用効果が得られるとともに、寸法誤差で設備配管が大径であっても、隙間なく配管孔３を覆うことができる。
【００１５】
図１１ないし図１３に示す発明者が考えた設備配管用目地詰型枠において、前記本発明の第２の実施の形態と主に異なる点は、係合部と係合片のない一方の目地詰型枠１Ｂと他方の目地詰型枠８Ｂとを用いるとともに、一方の接続端部が接続するように接着テープ１９で取付けた点で、このように構成した設備配管用目地詰型枠１６Ｂにしても、前記本発明の第２の実施の形態と同様な作用効果が得られる。
【００１６】
図１４ないし図１８に示す本発明の第４の実施の形態において、前記本発明の第１の実施の形態と主に異なる点は、一方の取付け片５Ａの下端部に嵌合部２０を形成した一方の目地詰型枠１Ｃと、他方の取付け片１０Ａの下端部に嵌合部２０を形成した他方の目地詰型枠８Ｃと、小径の設備配管２Ａの場合に、前記一方の目地詰型枠１Ｃの嵌合部２０と嵌合する嵌合部２１が下部外周部に形成された該一方の目地詰型枠１Ｃの内壁面に当接する半円弧状の発泡樹脂材で形成された一方のスペーサー２２、前記他方の目地詰型枠８Ｃの嵌合部２０と嵌合する嵌合部２１が下部外周部に形成された該他方の目地詰型枠８Ｃの内壁面に当接する半円弧状の発泡樹脂材で形成された他方のスペーサー２３とを用いた点で、このように構成した設備配管用目地詰型枠１６Ｃは一方のスペーサー２２と他方のスペーサー２３を用いることにより、大きさの異なる設備配管２Ａにも取付けて使用することができるとともに、厚さ寸法の異なる一方・他方のスペーサー２２、２３を使い分けることにより、種々の寸法の設備配管に取付けて使用することができる。
【００１７】
図１９ないし図２２に示す本発明の第５の実施の形態において、前記本発明の第２の実施の形態と主に異なる点は、一方の目地詰型枠本体４の内側部分より下方へ突出する複数本の脚部材２４で構成する一方の取付け片５Ｂを形成した一方の目地詰型枠１Ｄと、他方の目地詰型枠本体９の内側部分より下方へ突出する複数本の脚部材２４で構成する他方の取付け片１０Ｂを形成した他方の目地詰型枠８Ｄとを用いた点で、このような一方・他方の目地詰型枠１Ｄ、８Ｄを用いて構成した設備配管用目地詰型枠１６Ｄにすることにより、固定具１１での一方の目地詰型枠本体４の一方の取付け片５Ｂと他方の目地詰型枠本体９の他方の取付け片１０Ｂとの締付け固定が容易に行なうことができるとともに、図２２に示すように一方の目地詰型枠本体４の一方の取付け片５Ｂと他方の目地詰型枠本体９の他方の取付け片１０Ｂの外周部および該下端部と設備配管２とを接着テープ２５だけで巻き付け固定することができる。
【００１８】
図２３ないし図２５に示す本発明の第６の実施の形態において、前記本発明の第５の実施の形態と主に異なる点は、両端部に台形状の係合凹部６ａと台形状の係合突片７ａが形成された一方の目地詰型枠１Ｅと他方の目地詰型枠８Ｅを用いた点で、このように形成された一方の目地詰型枠１Ｅと他方の目地詰型枠８Ｅとで構成した設備配管用目地詰型枠１６Ｅにすることにより、設備配管２に一方の目地詰型枠１Ｅの係合凹部６ａと係合突片７ａに他方の目地詰型枠８Ｅの係合突片７ａと係合凹部６ａとを係合させることにより、該設備配管２に挟着固定状態で取付けることができる。
なお、必要に応じて固定具を用いたり、接着テープを用いて設備配管２に設備配管用目地詰型枠１６Ｅを確実に固定してもよい。
【００１９】
図２６ないし図２８に示す本発明の第７の実施の形態において、前記本発明の第１の実施の形態と主に異なる点は、おから、もみ殻、おがくず等の焼却処分をしても有害物質が発生しない、多くは廃棄処分される材質を用いて成型されて得られた一方の目地詰型枠１Ｆと他方の目地詰型枠８Ｆとを用いた点で、このように構成した設備配管用目地詰型枠１６Ｆにしても、前記本発明の第１の実施の形態と同様な作用効果が得られるとともに、一方の目地詰型枠１Ｆと他方の目地詰型枠８Ｆは使用後に焼却処分をしても、環境に悪影響を及ぼすことなく、効率よく処分することができる。
なお、一方の目地詰型枠１Ｆと他方の目地詰型枠８Ｆはおからを用いる場合、そのままプレス成型して乾燥させたり、ヒートプレス成型したり、必要に応じておからに糊等を混合してプレス成型により成型する。
また、もみ殻やおがくず等の材質を用いる場合には、糊等を混合した後、プレス成型により形成する。
また、一方の目地詰型枠１Ｆと他方の目地詰型枠８Ｆは本実施の形態だけに限らず、本発明の各実施の形態において実施してもよい。
【００２０】
前記本発明の実施の形態では固定具１１として締付け固定具を用いるものについて説明したが、本発明はこれに限らず、接着テープを用いて固定したり、針金や紐等の固定具を用いてもよい。
【００２１】
【発明の効果】
以上の説明から明らかなように、本発明にあっては次に列挙する効果が得られる。
【００２２】
（１）発泡樹脂材で形成された設備配管のほぼ半分の外周部の配管用孔を覆うことができる一方の目地詰型枠本体、この一方の目地詰型枠本体と一体形成された内側部分より下方へ突出する一方の取付け片とからなる一方の目地詰型枠と、この一方の目地詰型枠で覆われていない設備配管の外周部の配管用孔を覆うことができる発泡樹脂材で形成された他方の目地詰型枠本体、この他方の目地詰型枠本体と一体形成された内側部位より下方へ突出する他方の取付け片とからなる他方の目地詰型枠と、この他方の目地詰型枠と前記一方の目地詰型枠とで設備配管の外周部の配管用孔を覆った状態で該設備配管に前記他方の取付け片と一方の取付け片部位で固定する接着テープあるいはベルトを用いた締付け固定具等の固定具とで構成されているので、設備配管に寸法誤差があっても、一方の目地詰型枠と他方の目地詰型枠とが発泡樹脂材で形成されているため、固定具で設備配管に確実に固定することができる。
したがって、効率よく設備配管に取付ける作業ができるため、コストの低減を図ることができる。
【００２３】
（２）前記（１）によって、一方の目地詰型枠と他方の目地詰型枠とが発泡樹脂材で形成されているので、安価で、使い捨て状態で使用することができる。
【００２４】
（３）前記（１）、（２）によって、取り外しは発泡樹脂材で一方・他方の目地詰型枠が形成されているため、ドライバー等で一方・他方の目地詰型枠を壊すことにより、容易に除去することができる。
したがって、効率よく除去作業ができ、コストの低減を図ることができる。
【００２５】
（４）請求項２も前記（１）〜（３）と同様な効果が得られる。
【００２６】
（５）請求項３は前記（１）〜（３）と同様な効果が得られるとともに、一方の目地詰型枠と他方の目地詰型枠とが、おから、もみ殻、おがくず等の焼却処分をしても有害物質が発生しない、多くは廃棄処分されている材質を用いて成型したものであるので、おから、もみ殻、おがくず等を有効利用することができ、コストを抑えて設備配管用目地詰型枠を製造することができる。
【００２７】
（６）前記（５）によって、取り外した後はそのまま焼却処分を行なっても有害物質が発生しないので、環境に悪影響を与えることなく、効率よく処分することができる。
【図面の簡単な説明】
【図１】本発明の第１の実施の形態の使用状態の説明図。
【図２】図１の２−２線に沿う拡大断面図。
【図３】本発明の第１の実施の形態の分解斜視図。
【図４】本発明の第１の実施の形態の一方の目地詰型枠の説明図。
【図５】本発明の第１の実施の形態の他方の目地詰型枠の説明図。
【図６】本発明の第１の実施の形態の固定図の説明図。
【図７】本発明の第１の実施の形態の組付け状態の説明図。
【図８】本発明の第２の実施の形態の使用状態の説明図。
【図９】本発明の第２の実施の形態の分解斜視図。
【図１０】本発明の第２の実施の形態の組付け状態の説明図。
【図１１】発明者が考えた設備配管用目地詰型枠の使用状態の説明図。
【図１２】発明者が考えた設備配管用目地詰型枠の分解斜視図。
【図１３】発明者が考えた設備配管用目地詰型枠の組付け状態の説明図。
【図１４】本発明の第４の実施の形態の使用状態の説明図。
【図１５】本発明の第４の実施の形態の分解斜視図。
【図１６】本発明の第４の実施の形態の組付け状態の説明図。
【図１７】スペーサーを使用しない使用状態の説明図。
【図１８】スペーサーを使用しない組付け状態の説明図。
【図１９】本発明の第５の実施の形態の使用状態の説明図。
【図２０】本発明の第５の実施の形態の分解斜視図。
【図２１】本発明の第５の実施の形態の組付け状態の説明図。
【図２２】本発明の第５の実施の形態の他の組付け状態の説明図。
【図２３】本発明の第６の実施の形態の使用状態の説明図。
【図２４】本発明の第６の実施の形態の分解斜視図。
【図２５】本発明の第６の実施の形態の組付け状態の説明図。
【図２６】本発明の第７の実施の形態の使用状態の説明図。
【図２７】図２６の２７−２７線に沿う拡大断面図。
【図２８】本発明の第７の実施の形態の分解斜視図。
【符号の説明】
１、１Ａ〜１Ｆ：一方の目地詰型枠、
２、２Ａ：設備配管、      ３：配管孔、
４：一方の目地詰型枠本体、５、５Ａ：一方の取付け片、
６：係合片、              ７：係合部、
８、８Ａ〜８Ｆ：他方の目地詰型枠、
９：他方の目地詰型枠本体、１０、１０Ａ：他方の取付け片、
１１：固定具、            １２：ラチェット歯、
１３：ベルト、            １４：枠体、
１５：係止片、
１６、１６Ａ〜１６Ｆ：設備配管用目地詰型枠、
１７：突出片、            １８：支持凹部、
１９：接着テープ、        ２０：嵌合部、
２１：嵌合部、            ２２：一方のスペーサー、
２３：他方のスペーサー、  ２４：脚部材、
２５：接着テープ。
【図１】
0004505094.tif 000002
【図２】
0004505094.tif 000003
【図３】
0004505094.tif 000004
【図４】
0004505094.tif 000005
【図５】
0004505094.tif 000006
【図６】
0004505094.tif 000007
【図７】
0004505094.tif 000008
【図８】
0004505094.tif 000009
【図９】
0004505094.tif 000010
【図１０】
0004505094.tif 000011
【図１１】
0004505094.tif 000012
【図１２】
0004505094.tif 000013
【図１３】
0004505094.tif 000014
【図１４】
0004505094.tif 000015
【図１５】
0004505094.tif 000016
【図１６】
0004505094.tif 000017
【図１７】
0004505094.tif 000018
【図１８】
0004505094.tif 000019
【図１９】
0004505094.tif 000020
【図２０】
0004505094.tif 000021
【図２１】
0004505094.tif 000022
【図２２】
0004505094.tif 000023
【図２３】
0004505094.tif 000024
【図２４】
0004505094.tif 000025
【図２５】
0004505094.tif 000026
【図２６】
0004505094.tif 000027
【図２７】
0004505094.tif 000028
【図２８】
0004505094.tif 000029